(57)【要約】      （修正有）【課題】ゴルフバッグの移動中にゴルフクラブが回転してヘッドを傷つけることがなく、ゴルフカートに積んだ時には所要のゴルフクラブを確認しやすくすると共に取り出しやすくしたゴルフバッグの提供。【解決手段】ゴルフクラブを個別に分離して挿入できるゴルフバッグにおいて、ゴルフクラブのグリップの後端に凸部２ａを設け、凸部と係止できる凹部３ａをゴルフバッグの底部３に設け、凸部と凹部が係止する事によりクラブを回転不可能に収納する。ゴルフバッグへの複数の挿入穴が、ゴルフバッグを持ち上げるためのハンドルとの背袋を結ぶ方向と直交して４行に配置され、１行ごとに半ピッチずらして配置されている。また、底部の凹部を背袋側からハンドル側に向けスペーサ等により１行につき２ｃｍ以上づつ高い位置に配置する。【選択図】図１
2016220888.tif 000002
【特許請求の範囲】
【請求項１】
ゴルフクラブを個別に分離して挿入できるゴルフバッグにおいて、ゴルフクラブのグリップの後端に凸部または凹部を設け、その凸部または凹部と係止できる凹部または凸部を持ったゴルフバッグの底板を持つことを特徴とするゴルフクラブとゴルフバッグの組み合わせ。
【請求項２】
ゴルフクラブを個別に分離して挿入できるゴルフバッグへの挿入穴が、ゴルフバッグを持ち上げるためのハンドル（５）と小物入れの背袋（７）を結ぶ方向と直交方向に並びその穴の並びは４行あり、奇数行と偶数行の穴の中心が穴ピッチの半分の長さ分ずれていることを特徴とする請求項１に記載のゴルフバッグ。
【請求項３】
請求項２の挿入穴へゴルフクラブのグリップの後端の凸部または凹部と係止できる凹部または凸部を持った一端と、反対側の端はゴルフバッグの底板の凸部または凹部と係止できる凹部または凸部を持ったかさ上げスペーサー（４）を入れることで小物入れの背袋（７）に近い穴の並びから順に行単位でゴルフクラブの高さを７ｃｍ以上ずつかさ上げしたことを特徴とする請求項１に記載のゴルフバッグ。
【発明の詳細な説明】
【技術分野】
【０００１】
ゴルフクラブを個別に分離して挿入できるゴルフバッグにおいて、ゴルフクラブが回転して近隣のゴルフクラブを傷つけずけることがなく、ゴルフクラブのヘッドに刻印されたクラブの種類が見易く、所望のゴルフクラブを抜き取りやすいゴルフバッグとゴルフクラブの組み合わせに関する。
【背景技術】
【０００２】
ゴルフバッグにおいてゴルフクラブの挿入口が３〜８分割になっているものはゴルフクラブが絡み合いゴルフクラブの出し入れと所望の種類の選択がスムーズにできにくかった。また最近は挿入口を１４分割にしたものもあるが、ゴルフクラブが回転して近隣のゴルフクラブを傷つけやすく、ゴルフ場でゴルフバッグをカートに積んだ時にゴルフクラブのヘッドが重なりやすいためゴルフクラブのヘッドに刻印された種類が見にくかった。また、ゴルフクラブの高さの差が少ないため、ゴルフクラブのヘッドの下に手のひらを挿入して手のひらに受けて所望のゴルフクラブを容易に引き抜くことが難しかった。
【先行技術文献】
【特許文献】
【０００３】
【特許文献１】実用新案出願公開昭６２−１２５５５７があるが、ゴルフバッグの底板に凹凸を加工すること、ゴルフクラブの挿入穴の並びをずらすこと、ゴルフバッグ底板とゴルフクラブの間にかさ上げスペーサーを入れてゴルフクラブを取りやすくする記載はない。また、実用新案登録第３１１９１３７号においては弾性に富むクランプ孔でゴルフクラブを固定するとあるが、一般にゴルフクラブのグリップはゴム製で抵抗が大きく、その最大外径は２８ｍｍであり、シャフトの細いところは９mmの円形であるため、シャフト部を固定しようとするとゴルフクラブの挿入と取り出し時に大きな抵抗があり挿入と取り出しがしにくく、ゴルフクラブの高さを調整する凸柱には回転を防止する機能はない。
【非特許文献】
【０００４】
【非特許文献１】ゴルフクラブのヘッドがウッドになっているものには一般にカバーがあり傷がつく問題ない。ゴルフクラブのヘッドがアイアンになっているものにもカバーを被せて傷つきを防止する方法もあるが、手間がかかり面倒である。
【発明の概要】
【発明が解決しようとする課題】
【０００５】
ゴルフクラブを個別に分離して挿入できるゴルフバッグにおいて、ゴルフクラブが移動中に回転してヘッドを傷つけることがなく、ゴルフバッグ用カートに積んだ時には所要のゴルフクラブが見つけやすく、取り出しやすくする課題がある。
【課題を解決するための手段】
【０００６】
上記の課題を解決するため、ゴルフクラブを個別に分離して挿入できるゴルフバッグにおいて、ゴルフクラブのグリップの後端に凸部または凹部を設け、その凸部または凹部と係止できる凹部または凸部を持ったゴルフバッグの底板を持つことを特徴とするゴルフクラブとゴルフバッグの組み合わせ。また、ゴルフクラブを個別に分離して挿入できるゴルフバッグへの挿入穴が、ゴルフバッグを持ち上げるためのハンドル（５）と小物入れの背袋（７）を結ぶ方向と直交方向に並びその穴の並びは４行あり、奇数行と偶数行の穴の中心が穴ピッチの半分の長さ分ずれていることを特徴とするゴルフバッグ。また、挿入穴へゴルフクラブのグリップの後端の凸部または凹部と係止できる凹部または凸部を持った一端と、反対側の端はゴルフバッグの底板の凸部または凹部と係止できる凹部または凸部を持ったかさ上げスペーサー（４）を入れることで小物入れの背袋（７）に近い穴の並びから順に行単位でゴルフクラブの高さを２ｃｍ以上ずつかさ上げしたことを特徴とするゴルフバッグを提供する。
【発明の効果】
【０００７】
ゴルフクラブを個別に分離して挿入できるゴルフバッグにおいて、ゴルフクラブが移動中に回転してヘッドを傷つけることがなく、ゴルフバッグ用カートに積んだ時には所要のゴルフクラブが見つけやすく、取り出しやすいゴルフバッグが提供されることで、ゴルフクラブの出し入れのわずらわしさがなく、ゴルフプレイに集中ができ、快適なゴルフプレイを楽しめる。
【図面の簡単な説明】
【０００８】
【図１】ゴルフバッグのハンドル（５）と背袋（７）を結ぶ方向と直交方向で背袋（７）に近い穴（８ａ）の並びの切断部端面図。
【図２】図３のＢーＢ切断部端面図。
【図３】ゴルフバッグ用カートにゴルフバッグを載せた時の挿入穴とゴルフクラブの位置と向きを示す説明図。
【図４】四角形の外観を持つゴルフクラブの挿入穴の位置と数を示す説明図。
【図５】円形の外観を持つゴルフクラブの挿入穴の位置と数を示す説明図。
【図６】図２のＡ−Ａ切断部端面図。
【発明を実施するための形態】
【０００９】
ゴルフクラブを個別に分離して挿入できるゴルフバッグにおいて、ゴルフクラブのグリップの後端に凸部または凹部を設け、その凸部または凹部と係止できる凹部または凸部を持ったゴルフバッグの底板を持つことを特徴とするゴルフクラブとゴルフバッグの組み合わせと、挿入穴がゴルフバッグを持ち上げるためのハンドル（５）と小物入れの背袋（７）を結ぶ方向と直交方向に並びその穴の並びは４行あり、奇数行と偶数行の穴の中心が穴ピッチの半分の長さ分ずれていることと挿入穴へゴルフクラブのグリップの後端の凸部または凹部と係止できる凹部または凸部を持った一端と、反対側の端はゴルフバッグの底板の凸部または凹部と係止できる凹部または凸部を持ったかさ上げスペーサー（４）を入れることで小物入れの背袋（７）に近い穴の並びから順に行単位でゴルフクラブの高さを７ｃｍ以上ずつかさ上げしたことを特徴とするゴルフバッグで形成される。
【実施例】
【００１０】
ゴルフクラブの天板の製作は次の通り。縦２２０ｍｍ横２０５ｍｍ厚み１５mmの木材に図４同様に横方向に４行合計１４個の孔をあけた。孔の大きさはφ３７ｍｍ、孔のピッチは縦方向５３ｍｍ横方向４７ｍｍとした。奇数行と偶数行の孔の中心は横方向のピッチの半分（２３．５ｍｍ）ずらした。補強板を差し込み接着するための溝を裏面側に加工した。ゴルフクラブ用保護鞘の押えは内径３４ｍｍ外径４４ｍｍ厚み３ｍｍの木材を表側から孔の中心に合わせて接着した。ゴルフクラブの底板の製作は次の通り。縦２２０ｍｍ横２０５ｍｍ厚み１５mmの木材に図４同様に横方向に４行合計１４個の孔を天板同様にあけた。ゴルフクラブ用保護鞘の押えとかさ上げスペーサーを受けるため、縦２２０ｍｍ横２０５ｍｍ厚み２ｍｍの木材を裏面に接着した。外径φ３３ｍｍ厚み１５ｍｍの円柱木材の一端面の中央に幅１０ｍｍ深さ１０ｍｍの四角溝を加工し、稜を面取りしたものを１４個製作し、溝を縦方向に合わせ孔の中央に合わせて接着した。表面に補強板を差し込み接着するための溝を加工した。ゴルフクラブ用保護鞘は市販されている樹脂で作られたネット状の筒でゴルフクラブのプロテクターとして使われる内径３４ｍｍ長さ８５０ｍｍのものを１４本使用した。かさ上げスペーサーは図４の８ａの孔の並びにはかさ上げスペーサーは使用せずゴルフクラブのパター、ＡＷ（６２度）、ＳＷを入れ、ゴルフクラブの高さが９３０ｍｍ以下になる様にし、８ｂの孔の並びにはかさ上げスペーサーを入れゴルフクラブのＡＷ、ＰＷ、９Ｉ、８Ｉを入れゴルフクラブの高さが１０００ｍｍになる様にし、８ｃの孔の並びにはかさ上げスペーサーを入れゴルフクラブの７Ｉ，６Ｉ，５Ｉを入れゴルフクラブの高さが１０７０ｍｍになるようにし、８ｄの孔の並びにはゴルフクラブの１Ｗ以外の４Ｉ，３Ｉ、３Ｗにかさ上げスペーサーを入れゴルフクラブの高さが１１４０ｍｍ以上になる様にした。それぞれのかさ上げスペーサーは外径φ３３ｍｍの円柱木材を使用し、一端の中央に幅１０ｍｍ深さ１０ｍｍの四角溝を加工し、稜を面取りし、他端の中央に幅９ｍｍ高さ９ｍｍの凸部を加工し、四角溝と凸部は同じ向きに加工した。幅９ｍｍ高さ９ｍｍの凸部を先に底板に接着済みの外径φ３３ｍｍ厚み１５ｍｍの円柱木材の四角溝に差し込み接着した。底板に市販のゴルフクラブプロテクターの両端の丸め加工をした部分をカットして１４個の各穴へ差し込み接着した。補強板は４隅にアルミのアングルの１５ｍｍ×１５ｍｍ×厚み２ｍｍ長さ８３０ｍｍを使用し、アルミアングルとアルミアングルの中間には厚さ２ｍｍ幅２０ｍｍ長さ８３０ｍｍのアルミを補強板とし、底板の表面の溝に差し込み接着した。保護鞘用保持板は厚み３ｍｍのベニヤ板を縦２１１ｍｍ横１９６ｍｍに加工後、天板と同様のピッチで外径３８ｍｍの孔を１４個あけ、天板と底板間の長さを３等分する位置へ天板と平行になるよう２枚とも補強板と固定した。天板に補強板とゴルフクラブ保護鞘を差し込み接着した。周壁として市販のゴルフバッグの小物入れ、ハンドルが付いた周壁を切り取り、周壁として天板、底板の周囲に木ねじで固定した。ゴルフクラブのグリップの後端中央にゴム板を幅７ｍｍ高さ８ｍｍにカットしたものをゴルフクラブを水平にした��きゴルフクラブのヘッドが垂れ下がる向きに合わせて接着し、ゴルフクラブグリップの凸部とした。ゴルフクラブのヘッド部を覆うフードは市販品のものを転用した。ゴルフクラブがゴルフバッグの挿入口からスムーズに入ること、ゴルフクラブが垂れ下がる方向に向きを合わせてゴルフクラブを挿入した時、底板に到達したゴルフクラブが回転しないこと、各ゴルフクラブを低位置へ挿入完了した時８ａ、８ｂ、８ｃ、８ｄの並びでゴルフクラブヘッド間に２ｃｍ以上の隙間ができ所望のゴルフクラブのヘッドを手のひらに載せて容易に取り出せることを確認した。
【産業上の利用可能性】
【００１１】
本発明はゴルフクラブを個別に分離して挿入できるゴルフバッグにおいて、ゴルフクラブが回転して近隣のゴルフクラブを傷つけることがなく、ゴルフクラブのカートに乗せたときゴルフクラブのヘッドに刻印されたクラブの種類が見易く、所望のゴルフクラブを抜き取りやすいゴルフバッグとゴルフクラブの組み合わせにより、ゴルフクラブの出し入れにわずらわしさがなくゴルフプレイに集中できる新規なゴルフバッグとゴルフクラブの組み合わせを提供でき、広く利用されるものである。
【符号の説明】
【００１２】
１    ゴルフバッグ
２    ゴルフクラブ
２ａ    ゴルフクラブグリップの凸部
２ｂ    ゴルフクラブのグリップ
２ｃ    ゴルフクラブのシャフト
３    底板
３ａ    底板の凹部
４    かさ上げスペーサー
５    ハンドル
６    前袋
７    背袋
８ａ   背袋に最も近い挿入穴
８ｂ     ８ａの次の並びの挿入穴
８ｃ   ８ｂの次の並びの挿入穴
８ｄ   ８ｃの次の並びの挿入穴
９    ゴルフクラブ用保護鞘
１０    天板
１１    補強版
１２    周壁
１３    保護鞘用保持板
【図１】
2016220888.tif 000003
【図２】
2016220888.tif 000004
【図３】
2016220888.tif 000005
【図４】
2016220888.tif 000006
【図５】
2016220888.tif 000007
【図６】
2016220888.tif 000008